(57)【特許請求の範囲】
【請求項１】
ロ字形を形成するコアの平行する２辺が挿入され、巻線が施される中央に仕切り板を有する一対の胴部と該胴部の両端に鍔を有し、各胴部に２分割可能なコイルボビンを使用したトランス・チョークコイルにおいて、前記ロ字形が２個のＵ字形コアの各２脚を前記胴部に挿入し突き合わせて形成され、前記鍔が前記胴部端面の胴部長手方向に垂直な面と、この面より垂直に胴部と反対方向に張り出した取り付け基盤側の前記ロ字形に平行な面及び前記ロ字形の挿入されない辺の両延長側の該辺に垂直な面と、更に、前記ロ字形の挿入されない辺の両延長部に前記ロ字形に垂直な溝部を設けた突出部を有し、前記Ｕ字形コアが両端部を各々前記溝部に挿入したばね性を有し湾曲した矩形板状のホルダーにより、該湾曲部で前記Ｕ字形コアの背部を押圧してコイルボビンに把持されてなることを特徴とするトランス・チョークコイル。
【請求項２】
ロ字形を形成するコアの平行する２辺が挿入され、巻線が施される中央に仕切り板を有する一対の胴部と該胴部の両端に鍔を有し、各胴部に２分割可能なコイルボビンを使用したトランス・チョークコイルにおいて、前記ロ字形が２個のＵ字形コアの２脚を前記胴部に挿入しＩ字形コアと突き合わせて形成され、前記鍔が前記胴部端面の胴部長手方向に垂直な面と、この面より垂直に胴部と反対方向に張り出した取り付け基盤側の前記ロ字形に平行な面及び前記ロ字形の挿入されない辺の両延長側の該辺に垂直な面と、更に、一方の前記ロ字形の挿入されない辺の部分に前記Ｉ字形コアの装着部を有し、別の一方の前記ロ字形の挿入されない辺の両延長部に前記ロ字形に垂直な溝部を設けた突出部を有し、Ｕ字形コアが両端部を各々前記溝部に挿入したばね性を有し湾曲した矩形板状のホルダーにより、該湾曲部で前記Ｕ字形コアの背部を押圧してコイルボビンに把持されてなることを特徴とするトランス・チョークコイル。
【請求項３】
ロ字形を形成するコアの平行する２辺が挿入され、巻線が施される中央に仕切り板を有する一対の胴部と該胴部の両端に鍔を有し、各胴部に２分割可能なコイルボビンを使用したトランス・チョークコイルにおいて、前記ロ字形が２個のＵ字形コアの各２脚を前記胴部に挿入し突き合わせて形成され、前記鍔が前記胴部端面の胴部長手方向に垂直な面と、この面より垂直に胴部と反対方向に張り出した取り付け基盤側の前記ロ字形に平行な面及び前記ロ字形の挿入されない辺の両延長側の該辺に垂直な面と、更に、前記ロ字形の挿入されない辺の両延長部に前記ロ字形に垂直な溝部を設けた突出部を有し、前記Ｕ字形コアが、両端部を各々、前記溝部に挿入したばね性を有し、前記Ｕ字形コアの背部を押圧する爪部を有する矩形板状のホルダーによりコイルボビンに把持されてなることを特徴とするトランス・チョークコイル。
【請求項４】
ロ字形を形成するコアの平行する２辺が挿入され、巻線が施される中央に仕切り板を有する一対の胴部と該胴部の両端に鍔を有し、各胴部に２分割可能なコイルボビンを使用したトランス・チョークコイルにおいて、前記ロ字形がＵ字形コアの２脚を前記胴部に挿入しＩ字形コアと突き合わせて形成され、前記鍔が前記胴部端面の胴部長手方向に垂直な面と、この面より垂直に胴部と反対方向に張り出した取り付け基盤側の前記ロ字形に平行な面及び前記ロ字形の挿入されない辺の両延長側の該辺に垂直な面と、更に、一方の前記ロ字形の挿入されない辺の部分に前記Ｉ字形コアの装着部を有し、別の一方の前記ロ字形の挿入されない辺の両延長部に前記ロ字形に垂直な溝部を設けた突出部を有し、Ｕ字形コアが両端部を各々、前記溝部に挿入したばね性を有し、前記Ｕ字形コアの背部を押圧する爪部を有する矩形板状のホルダーによりコイルボビンに把持されてなることを特徴とするトランス・チョークコイル。
【発明の詳細な説明】
【０００１】
【産業上の利用分野】
本発明は、トランス・チョークコイルに関し、特に、それに使用される磁気コアを突き合わせ、両面から固定する、二分割されたコイルボビン及びコア固定用ホルダーに関するものである。
【０００２】
【従来の技術】
従来、図５に示すように、この種のトランス・チョークコイル用コイルボビン２０は、長手方向、平行に、中央から二分割された構造のものである。即ち、中央に巻線用の胴部２２を有し、プリント基板に面実装される端子２５を左右両端の鍔２６に長手方向と平行に設け、このコイルボビン２０の巻線用胴部２２に巻線を施した後に、コイルボビンに形成された前記鍔２６の挿入孔２７にＵ字形コア２３を両端から装着し、その外側を略コ字形の金属製ホルダー２４で把持するものである。２８は、巻線用胴部２２の中央に設けられた仕切り板である。この構造のトランス・チョークコイルは、端子２５に巻線のリード端末をからげて、プリント基板に端子を半田付けによって固定して使用することになる。
【０００３】
Ｕ字形コアの背面を把持する金属製のホルダー２４は、略コ字形、キャップ形、又はＭ形等の形状になっている。一般的に、ボビンにコアを挿入した後、ホルダーの脚部２９を力を加えて押し開いて、二つのコアの外側を一つのホルダーで押さえ、把持する。
【０００４】
【発明が解決しようとする課題】
図５に示すホルダー２４は、コ字形のものであるが、キャップ形やＭ形のホルダーでもコアの外側より大きくし、コアの背面を把持するために、外側寸法や高さ寸法が大きくなるため、面実装面積が大きくなる欠点があった。又、用途によってコアの形状を変えずにプリント基板上からの高さ寸法を小さくしようとする要求があった場合、巻線容積を減少させずに、トランス・チョークコイル等のインダクタンスを減少させずに、これに対応することは、著しく難しいという問題点があった。
【０００５】
本発明の目的は、これらの問題点を解決し、特別な構造のコイルボビンの固定具を用いずに、面実装面積が小さく、特性のばらつきが少なく、構造が簡単で、プリント基板から高さ寸法が小さくなるようにしたトランス・チョークコイルを提供することにある。
【０００６】
【課題を解決するための手段】
本発明は、▲１▼ロ字形を形成するコアの平行する２辺が挿入され、巻線が施される中央に仕切り板を有する一対の胴部と該胴部の両端に鍔を有し、各胴部に２分割可能なコイルボビンを使用したトランス・チョークコイルにおいて、前記ロ字形が２個のＵ字形コアの各２脚を前記胴部に挿入し突き合わせて形成され、前記鍔が前記胴部端面の胴部長手方向に垂直な面と、この面より垂直に胴部と反対方向に張り出した取り付け基盤側の前記ロ字形に平行な面及び前記ロ字形の挿入されない辺の両延長側の該辺に垂直な面と、更に、前記ロ字形の挿入されない辺の両延長部に前記ロ字形に垂直な溝部を設けた突出部を有し、前記Ｕ字形コアが両端部を各々前記溝部に挿入したばね性を有し湾曲した矩形板状のホルダーにより、該湾曲部で前記Ｕ字形コアの背部を押圧してコイルボビンに把持されてなることを特徴とするトランス・チョークコイルであり、▲２▼ロ字形を形成するコアの平行する２辺が挿入され、巻線が施される中央に仕切り板を有する一対の胴部と該胴部の両端に鍔を有し、各胴部に２分割可能なコイルボビンを使用したトランス・チョークコイルにおいて、前記ロ字形が２個のＵ字形コアの２脚を前記胴部に挿入しＩ字形コアと突き合わせて形成され、前記鍔が前記胴部端面の胴部長手方向に垂直な面と、この面より垂直に胴部と反対方向に張り出した取り付け基盤側の前記ロ字形に平行な面及び前記ロ字形の挿入されない辺の両延長側の該辺に垂直な面と、更に、一方の前記ロ字形の挿入されない辺の部分に前記Ｉ字形コアの装着部を有し、別の一方の前記ロ字形の挿入されない辺の両延長部に前記ロ字形に垂直な溝部を設けた突出部を有し、Ｕ字形コアが両端部を各々前記溝部に挿入したばね性を有し湾曲した矩形板状のホルダーにより、該湾曲部で前記Ｕ字形コアの背部を押圧してコイルボビンに把持されてなることを特徴とするトランス・チョークコイルであり、▲３▼ロ字形を形成するコアの平行する２辺が挿入され、巻線が施される中央に仕切り板を有する一対の胴部と該胴部の両端に鍔を有し、各胴部に２分割可能なコイルボビンを使用したトランス・チョークコイルにおいて、前記ロ字形が２個のＵ字形コアの各２脚を前記胴部に挿入し突き合わせて形成され、前記鍔が前記胴部端面の胴部長手方向に垂直な面と、この面より垂直に胴部と反対方向に張り出した取り付け基盤側の前記ロ字形に平行な面及び前記ロ字形の挿入されない辺の両延長側の該辺に垂直な面と、更に、前記ロ字形の挿入されない辺の両延長部に前記ロ字形に垂直な溝部を設けた突出部を有し、前記Ｕ字形コアが、両端部を各々、前記溝部に挿入したばね性を有し、前記Ｕ字形コアの背部を押圧する爪部を有する矩形板状のホルダーによりコイルボビンに把持されてなることを特徴とするトランス・チョークコイルであり、▲４▼ロ字形を形成するコアの平行する２辺が挿入され、巻線が施される中央に仕切り板を有する一対の胴部と該胴部の両端に鍔を有し、各胴部に２分割可能なコイルボビンを使用したトランス・チョークコイルにおいて、前記ロ字形がＵ字形コアの２脚を前記胴部に挿入しＩ字形コアと突き合わせて形成され、前記鍔が前記胴部端面の胴部長手方向に垂直な面と、この面より垂直に胴部と反対方向に張り出した取り付け基盤側の前記ロ字形に平行な面及び前記ロ字形の挿入されない辺の両延長側の該辺に垂直な面と、更に、一方の前記ロ字形の挿入されない辺の部分に前記Ｉ字形コアの装着部を有し、別の一方の前記ロ字形の挿入されない辺の両延長部に前記ロ字形に垂直な溝部を設けた突出部を有し、Ｕ字形コアが両端部を各々、前記溝部に挿入したばね性を有し、前記Ｕ字形コアの背部を押圧する爪部を有する矩形板状のホルダーによりコイルボビンに把持されてなることを特徴とするトランス・チョークコイルである。
【０００７】
【作用】
コイルボビンの鍔に溝を設けて、単純な湾曲した矩形板状のばね性のあるホルダーを挿入する構造とし、又、ホルダーの厚さを調整し、ホルダーの高さを小さくすることにより、ホルダーのばねでコイルボビンに装着したコアの外側を押圧することができ、小型で、高さ寸法も小さくでき、作業がしやすい、特性のばらつきの小さいトランス・チョークコイルを提供できる。
【０００８】
【実施例】
本発明の実施例について、図面を用いて説明する。
図１は、２個のＵ字形コアを使用した場合の本発明のトランス・チョークコイル用の第一のコイルボビン及び第一のホルダーを示す斜視図である。
図２は、Ｕ字形コア及びＩ字形コアとを使用した場合の本発明のトランス・チョークコイル用の第二のコイルボビン及び第一のホルダーを示す斜視図である。図３は、２個のＵ字形コアを使用した場合の本発明のトランス・チョークコイル用の第一のコイルボビン及び第二のホルダーを示す斜視図である。
図４は、Ｕ字形コア及びＩ字形コアを使用した場合の本発明のトランス・チョークコイル用の第二のコイルボビン及び第二のホルダーを示す斜視図である。
【０００９】
図１に示すように、本発明のトランス・チョークコイル用の第一のコイルボビン１０は、長手方向、平行に中央から二分割され、使用される際は、一体にされて用いられ、中央に仕切り板２８を有し、巻線用の胴部２を有する構造である。第一の実施例のコイルボビンは、胴部２の左右両端に有する大略有底コ字形の鍔６が、コアの磁脚３を矢印方向１２から挿入する方形の挿入孔２７を有し、Ｕ字形コア２３を保持するコア収納枠１３を形成する。前記の大略有底コ字形の鍔６の両側には、横方向に突出したホルダー固定用溝部４を設け、形状が単純な矩形板状の第一のホルダー５をこの溝部４に上から差し込み、コアの外側を把持するようにしたものである。
【００１０】
前述のように、この大略有底コ字形の鍔６は、Ｕ字形コア２３を収納するコア収納枠１３を形成しているが、ボビンの長手方向の直角方向に略コ字形状の両端が張り出している。底面１４を有する鍔６は、主にＵ字形コアの背部１５を収納し、コアの磁脚３は胴部２の内部を貫通する挿入孔２７に挿入されるので、板状のコア収納枠でも充分、強度的にもつようになっている。しかし、変形しにくいように張り出し部分７がＬ字形になって、鍔６の強度を上げるように形成されている。第一のホルダー５が溝部４に固定される構造上から、第一のホルダーが、はずれることはない。第一のホルダーがＵ字形コアの外側を押圧しながら把持され、Ｕ字形コアの外側を把持する力は、ホルダーの厚さを調整することによって制御できる。従って、鍔の高さを低くする時は、ホルダーの厚さを厚くし、高さを低くすればよい。上述したホルダーの厚さの調整により、ホルダー固定用溝部の高さは、従来のものより低くできる。又、この溝部４は、図１に見られるように、多少湾曲した矩形板状の第一のホルダーが容易に装着されるように上面から底面１４に達する溝となっているので、矩形板状の第一のホルダーを上から挿入することは、極めて容易な作業となる。
【００１１】
第一のホルダー５のコアの把持力は、上述したように、ホルダーの厚さによって制御でき、更に、微調整等は、ホルダーの湾曲の度合等で調整でき、安定性があるので、作業性がよくなる。
【００１２】
図２は、第二の実施例を示す斜視図であり、磁性コアにＵ字形コア及びＩ字形コアを使用した場合のコイルボビン及びホルダーの斜視図を示す。
【００１３】
第二の実施例は、第二のコイルボビン１８の例であり、胴部２の片方の端部にＵ字形コア２３を収納するための、前記ホルダー固定用溝部４を有する大略有底コ字形の鍔６を設け、他方の端部にはＩ字形コア１６を挿入し、Ｉ字形コア１６を収納するための二分割面開放の箱状の鍔８を形成する。箱状の鍔８は、ボビンが合体した場合、Ｉ字形コア１６の六面を覆い、分割面は開放されているが、分割面と対向する端面は閉じている。
ホルダーは、第一の実施例と同様の第一のホルダー５を用い、ホルダーの長手方向の両端は前記溝部４で嵌合係止される。ホルダーの湾曲面１７がボビンに装着されたＵ字形コア２３の外側を把持し、ホルダーの湾曲面１７でＵ字形コアの背部１５を押し付けるので、Ｕ字形コア２３と対向するＩ字形コア１６の合わせ面を押圧することにより、Ｕ字形コアとＩ字形コアとも密着し、把持できる。
【００１４】
図３に示すように、第三の実施例は、コイルボビンについては第一の実施例に用いられた第一のコイルボビンを用いて、第二のホルダー９を使用するものである。第二のホルダー９は、矩形板状のホルダーに中央から長手方向に直交するように切り込みを入れて、所定の寸法でコアの背面を押すように爪部１１を設けるものである。
【００１５】
矩形板状のホルダーの一部を切り欠くように切り込みを入れて折り曲げた爪部１１であるので、爪部は湾曲してコアの背面を滑らかに押圧する形状にして、１ｍｍか２ｍｍ程度、内側に湾曲していればよい。
【００１６】
図４に示すように、第四の実施例は、コイルボビンに第二のコイルボビン１８を用い、ホルダーには第二のホルダー９を用いる場合のものである。
以上、述べたように、本発明の実施例のトランス・チョークコイルでは、作業性がよく、品質にばらつきがないので、特性のばらつきも少なくなる。
【００１７】
【発明の効果】
以上、述べたように、第一、第二のコイルボビン及び第一、第二のホルダーをセットにして、本発明のホルダー付きコイルボビンを用いれば、面実装面積が小さく、構造が簡単で、プリント基板から高さが低い、特性のばらつきが少ないトランス・チョークコイルが提供できる。
【図面の簡単な説明】
【図１】２個のＵ字形コアを使用した場合の本発明のトランス・チョークコイル用の第一のコイルボビン及び第一のホルダーを示す斜視図。
【図２】Ｕ字形コア及びＩ字形コアとを使用した場合の本発明のトランス・チョークコイル用の第二のコイルボビン及び第一のホルダーを示す斜視図。
【図３】２個のＵ字形コアを使用した場合の本発明のトランス・チョークコイル用の第一のコイルボビン及び第二のホルダーを示す斜視図。
【図４】Ｕ字形コア及びＩ字形コアとを使用した場合の本発明のトランス・チョークコイル用の第二のコイルボビン及び第二のホルダーを示す斜視図。
【図５】従来のトランス・チョークコイルを示す斜視図。
【符号の説明】
２，２２    胴部
３    磁脚
４    （ホルダー固定用）溝部
５    第一のホルダー
６，２６        鍔
７        張り出し部分
８        箱状の鍔
９        第二のホルダー
１０        第一のコイルボビン
１１        爪部
１２        矢印方向
１３        コア収納枠
１４        底面
１５        （コアの）背部
１６        Ｉ字形コア
１７        湾曲面
１８        第二のコイルボビン
２０        （従来の）コイルボビン
２３        Ｕ字形コア
２４        （従来の）ホルダー
２５        端子
２７        挿入孔
２８        仕切り板
２９        脚部
【図１】
0003614483.tif 000002
【図２】
0003614483.tif 000003
【図３】
0003614483.tif 000004
【図４】
0003614483.tif 000005
【図５】
0003614483.tif 000006